(57)【要約】【課題】揺らぎ信号に基いて点灯制御される照明装置において、簡単な構成で揺らぎ信号を発生させ、照明の演出性を高め、また、揺らぎ信号を発生させるための検知範囲や検知場所を自由に設計できるようにする。【解決手段】照明装置１は、電極部２と、電極部２と人体Ｍと間に形成された浮遊容量Ｃｓの変化で周波数が可変する周波数可変発振回路３と、周波数可変発振回路３で得られる揺らぎ信号に基いて光源９を点灯制御する制御部７とを備える。周波数可変発振回路３は、電極部２と人体Ｍとの遠近変化による浮遊容量Ｃｓの値の揺らぎに応じて変動する発振周波数ｆ１に基く揺らぎ信号を生成し、制御部７に出力する。これにより、簡単な構成で揺らぎ信号を発生でき、人体Ｍの動きに応じて照明の状態を変化させて照明の演出性を高め、また、浮遊容量を電極部２の周りのどこででも発生でき、揺らぎ信号を発生させるための検知範囲や検知場所を自由に設計できる。【選択図】図１
2009205839.tif 000002
【特許請求の範囲】
【請求項１】
光源と、時間的にランダムに変化する揺らぎに基いて前記光源を点灯制御する制御部と、を備えた照明装置であって、
電極部と、
前記電極部と生体との間に形成された浮遊容量を含むコンデンサ容量の変化により発振周波数が可変する周波数可変発振回路と、を備え、
前記周波数可変発振回路は、前記電極部と生体との遠近変化による浮遊容量の値の揺らぎに応じて変動する発振周波数に基く揺らぎ信号を生成し、前記制御部に出力することを特徴とする照明装置。
【請求項２】
前記制御部と光源は、前記揺らぎ信号を伝送する通信回線により接続されることを特徴とする請求項１に記載の照明装置。
【発明の詳細な説明】
【技術分野】
【０００１】
本発明は、時間的にランダムまたは擬似ランダムな揺らぎ信号に基いて照明制御される照明装置に関する。
【背景技術】
【０００２】
この種の照明装置として、風速センサからの揺らぎ信号を揺らぎ（１／ｆ）フィルタを介して波形整形し、この波形整形された揺らぎ信号に基く調光信号により光源を点灯制御する照明装置が知られている（例えば、特許文献１参照）。この装置は、時間的にランダムな変化として外部の風速の変化を利用し、この風速の変化と揺らぎ（１／ｆ）フィルタとを組合わせることにより調光制御するものである。
【０００３】
しかしながら、このような装置は、センサの検知範囲が限定されて、また、検知範囲を広げようとすると、複数のセンサを必要として、構成が複雑となる。また、センサを装置の筐体外部に露出する必要があり、デザイン面や、構造設計面での制約があった。
【特許文献１】特開平８−１６７４８１号公報
【発明の開示】
【発明が解決しようとする課題】
【０００４】
本発明は、上記の問題を解決するものであり、簡単な構成で揺らぎ信号を発生させ、照明の状態を変化させ、照明の演出性を高めることができ、また、揺らぎ信号を発生させるための検知範囲や検知場所を自由に設計することができる照明装置を提供することを目的とする。
【課題を解決するための手段】
【０００５】
上記目的を達成するために請求項１の発明は、光源と、時間的にランダムに変化する揺らぎに基いて前記光源を点灯制御する制御部と、を備えた照明装置であって、電極部と、前記電極部と生体との間に形成された浮遊容量を含むコンデンサ容量の変化により発振周波数が可変する周波数可変発振回路と、を備え、前記周波数可変発振回路は、前記電極部と生体との遠近変化による浮遊容量の値の揺らぎに応じて変動する発振周波数に基く揺らぎ信号を生成し、前記制御部に出力するものである。
【０００６】
請求項２の発明は、請求項１に記載の照明装置において、前記制御部と光源は、前記揺らぎ信号を伝送する通信回線により接続されるものである。
【発明の効果】
【０００７】
請求項１の発明によれば、電極部と生体との遠近変化だけの簡単な構成で揺らぎ信号を発生でき、生体の動きに応じて照明の状態を変化させることができるので、照明の演出性を高めることができる。また、浮遊容量を電極部の周りのどこででも発生できるので、揺らぎ信号を発生させるための検知範囲や検知場所を自由に設計することができる。
【０００８】
請求項２の発明によれば、制御部と光源を通信回線により接続することにより、両者を離して設置することができるので、制御部から遠隔に設置された光源に対しても揺らぎ制御することができると共に、複数の離れた光源を同調させて点灯制御することができる。
【発明を実施するための最良の形態】
【０００９】
以下、本発明の第１の実施形態に係る照明装置について、図１乃至図３を参照して説明する。図１は、本実施形態の照明装置１の構成を示す。照明装置１は、人体（生体）Ｍとの間で浮遊容量Ｃｓが形成される電極部２と、浮遊容量Ｃｓにより周波数が変化する周波数可変発振回路３と、所定の周波数を発振する周波数固定発振回路４と、周波数を混合するミキサ回路５と、ミキサ回路５の出力の波形形成を行う波形形成部６と、波形形成部６の波形形成出力に基づいて照明制御信号を発生する制御部７と、照明制御信号により光源９を点灯制御する照明制御部８と、光源９とを備える。周波数可変発振回路３、周波数固定発振回路４、及びミキサ回路５は、周波数発振変換部１０を形成する。
【００１０】
電極部２は、金属製の平板や導体パターンが形成された誘電体基板等のアンテナ形状からなり、人体Ｍ又は動物などが近づくと、人体Ｍの一部との間で浮遊容量Ｃｓを形成する。この浮遊容量Ｃｓは、例えば、２つの極板で形成されるコンデンサとして、人体Ｍの一部（手など）がコンデンサの一方の極板（例えば、接地側）となり、電極部２がコンデンサの他方の極板（例えば、回路入力側）となることにより形成される。また、この浮遊容量Ｃｓは、電極部２への人体Ｍの接近や離間などの外部環境の変化により、その容量値が変化する可変容量コンデンサとなる。従って、電極部２が周波数可変発振回路３に接続されることにより、浮遊容量Ｃｓを周波数可変発振回路３の発振用容量素子の１つとすることができる。なお、電極部２は、平板に限らず、パラボラ状等の曲面を成してもよく、また、室内等において、人体Ｍが接近できる場所であれば、何処に配置してもよい。
【００１１】
周波数可変発振回路３は、浮遊容量Ｃｓを含むコンデンサ容量の変化により、発振周波数ｆ１が可変する高周波信号Ｓ１を出力する高周波発振回路である。従って、高周波信号Ｓ１の周波数ｆ１は、浮遊容量Ｃｓの変化により可変される。このとき、通常、容量可変型の周波数可変発振回路３においては、高周波領域における発振は、低周波領域における発振に比較して、容量の変化に対する周波数変動の比率が大きいため、特に、高周波で発振する周波数可変発振回路３は、浮遊容量Ｃｓの揺らぎに基く揺らぎ信号を生成し易い。これにより、周波数可変発振回路３は、電極部２と人体Ｍとの遠近変化による浮遊容量Ｃｓの値の揺らぎに応じて変動する発振周波数ｆ１に基く揺らぎ信号を生成する。
【００１２】
周波数固定発振回路４は、周波数ｆ１の高周波信号Ｓ１をミキサ回路５でダウンコンバートするための所定の周波数ｆ２の局部発振信号Ｓ２を発生する局部発振回路である。ここでは、局部発振信号Ｓ２の周波数ｆ２は、高周波信号Ｓ１の周波数ｆ１より低い周波数で発振される。
【００１３】
ミキサ回路５は、ミキサダイオードやＦＥＴを含むトランジスタ等の半導体素子からなり、高周波信号Ｓ１の周波数ｆ１を低い周波数にダウンコンバートするために周波数変換回路である。ここでは、高周波信号Ｓ１と、局部発振信号Ｓ２が入力され、それらの差の周波数ｆ３（＝ｆ１−ｆ２、ｆ１＞ｆ２）の中間周波数信号Ｓ３が出力される。この中間周波数信号Ｓ３の周波数ｆ３は、ミキサ回路５に設けられた中間周波数通過フィルタ（不図示）を通して、周波数変換に伴う各種周波数混合出力の中から選択されて取り出される。これにより、高周波信号Ｓ１の揺らぎ信号は、その周波数変化量はそのままで、周波数だけが低くされた周波数ｆ３の中間周波数信号Ｓ３に変換され、中間周波数信号Ｓ３は高周波信号Ｓ１と同じ揺らぎ信号を有することになる。このダウンコンバートにより、次段の波形形成部６における揺らぎ信号の信号処理がやり易くなる。
【００１４】
波形形成部６は、マイコン等のＣＰＵから構成され、ミキサ回路５から出力された中間周波数信号Ｓ３の揺らぎ信号をマイコンで検出し、この検出した揺らぎ信号の波形を基に任意に波形形成するものである。この波形形成は、ミキサ回路５からの規則性のない揺らぎ信号の波形に、予め決められた関数を掛け合わせることにより行われる。この関数は、例えば、規則的な一定の周期での緩急を表す関数など、人が心地よく感じる緩急リズムや、ライトアップ照明の平均的点灯動作を表すリズムなどを創出できるようにするものである。
【００１５】
制御部７は、波形形成部６と同様のマイコン等のＣＰＵから構成され、波形形成部６からの揺らぎ信号の波形を読込み、光源９に対して予め決められた調光や調色の点灯制御信号を出力する。例えば、制御部７は、光源９の調光制御をＰＷＭ制御で行う場合、揺らぎ波形の形状に応じたデューティ比のＰＷＭ信号を出力する。
【００１６】
照明制御部８は、制御部７からの揺らぎ信号に基く点灯制御信号を基に調光や調色の調整などを行って光源９を点灯制御する。これにより、揺らぎ信号に応じた光源９の点灯制御を行うことができる。なお、光源９を照射方向を可変にできる構造にし、照明制御部８の点灯制御出力により光源９の照射方向を制御できるようにすることにより、揺らぎ信号により光源９の照射方向を変えることもできる。
【００１７】
ここで、上記周波数可変発振回路３の回路構成について、図２を参照して説明する。周波数可変発振回路３は、高周波用のトランジスタＴｒを有し、トランジスタＴｒのコレクタ、ベース間にバイアス抵抗Ｒ１、ベース、エミッタ間にコンデンサＣ１、エミッタ、アース（接地）Ｅ間にエミッタ抵抗Ｒ２及びコンデンサＣ２がそれぞれ接続される。また、ベース、アースＥ間には、電極部２の等価回路である浮遊容量ＣｓとアンテナコイルＬの直列回路が接続される。このアンテナコイルＬは、電極部２と周波数可変発振回路３との接続電線を含む電極部２のアンテナ形状により決まるリアクタンス成分であり、等価回路的には浮遊容量Ｃｓと直列の関係になる。また、浮遊容量Ｃｓは、電極部２とアースＥ間に人体Ｍが出入りしたときにそのコンデンサ容量が変化する。また、トランジスタＴｒのコレクタには、ＤＣ電圧Ｖｃｃが供給されている。
【００１８】
上記周波数可変発振回路３は、クラップ発振回路を用いており、この発振周波数ｆ１は、次の式で表される。
（数１）
ｆ１＝１／２πＳＱＲＴ（Ｌ／（１／Ｃ１＋１／Ｃ２＋１／Ｃｓ））
【００１９】
この周波数可変発振回路３では、Ｃ１、Ｃ２以外にＣｓを変化することにより周波数を変えることができ、また、通常、クラップ発振回路は、Ｃ１≒Ｃ２≫Ｃｓとすることにより、周波数安定度が良くなることが知られている。ここでは、Ｃｓは、容量が小さい浮遊容量なので固定容量のコンデンサＣ１、Ｃ２に比べて小さくすることができ、安定な発振が得られる。
【００２０】
ここで、図３（ａ）（ｂ）を参照して、人体Ｍと電極部２間の距離ｄと浮遊容量Ｃｓとの関係、及び浮遊容量Ｃｓと発振周波数ｆ１との関係を説明する。図３（ａ）において、縦軸は浮遊容量Ｃｓを、横軸は距離ｄをそれぞれ示し、図３（ｂ）において、縦軸は発振周波数ｆ１を、横軸は浮遊容量Ｃｓをそれぞれ示す。図３（ａ）に示すように、浮遊容量Ｃｓは、人体Ｍが電極部２に近付く（ｄ→小）と増加し、遠ざかる（ｄ→大）とが減少する。このとき、人体Ｍが電極部２から遠くに離れて、距離ｄが十分に大きくなると、浮遊容量Ｃｓは、電極部２とアースの位置関係により決まる固定の浮遊容量Ｃ０となる。
【００２１】
また、図３（ｂ）に示すように、発振周波数ｆ１は、浮遊容量Ｃｓが減少すると高くなり、増加すると低くなる。これにより、人体Ｍが電極部２に近付くと発振周波数ｆ１が低下し、人体Ｍが電極部２から離れると発振周波数ｆ１が上昇し、略固定の浮遊容量Ｃ０で決まる発振周波数ｆ０にまで変化する。従って、人体Ｍが接近離間することにより、浮遊容量Ｃｓを変化させ、発振周波数を変化させることにより、浮遊容量Ｃｓの揺らぎを発振周波数の揺らぎに変換し、この揺らぎに基いて点灯制御することができる。
【００２２】
上記ように構成された照明装置１の照明制御について説明する。ここでは、照明装置１を室内において使用する場合として、ユーザは、電極部２を室内における人体Ｍが接近できる位置に取り付けておく。この状態で、人体Ｍが電極部２に接近したり、横切ったり、又は電極部２付近で身振り手振りなどの動作をすると、人体Ｍの動きに合わせて、浮遊容量Ｃｓが変化する。この浮遊容量Ｃｓの変化により、高周波信号Ｓ１の発振周波数ｆ１が変化して揺らぎ信号が発生する。この高周波信号Ｓ１の揺らぎ信号は、ミキサ回路５で中間周波数信号Ｓ３に周波数変換され、さらに、波形形成部６により予め決められた所定の関数を基に波形形成され、制御部７は、この波形形成された揺らぎ信号を予め設定された判別条件により照明制御内容を決定し、この照明制御内容に基き光源９を点灯制御する。
【００２３】
この照明制御内容を決定するための判別の条件として、ユーザは、予め制御部７において、例えば、周波数の閾値として、周波数ｆａ、ｆｂ、ｆｃ、ｆｄ…（ｆａ＜ｆｂ＜ｆｃ＜ｆｄ＜…）を設けておくことで、制御部７は、揺らぎ波形の周波数が各閾値間にあるときに対応した照明制御内容（調光、調色制御など）に基いて点灯制御する。また、閾値を跨ぐ時間間隔と対応した照明制御内容を設定しておくことで、制御部７は、これらの照明制御内容に基いて点灯制御を行うことができる。なお、閾値を跨ぐ時間間隔は、例えば、制御部７がマイコンへ入力される揺らぎ波形のＨ（Ｈｉｇｈ）／Ｌ（Ｌｏｗ）が、予め設定した時間間隔（たとえば０．１秒）毎に、何度Ｈ／Ｌが入れ替わったかにより瞬時の周波数を算出し、この周波数を算出する毎に、前回算出した周波数と比較し、同じ周波数帯か否か判断することにより、周波数の閾値を跨ぐ時間を計時して得ることができる。また、上記判別の条件は、複数の判別の条件を設けて、それらの条件を複合して判定してもよい。これにより、規則性のない浮遊容量Ｃｓの変化と、規則的な周期を掛け合わせたリズムの照明制御を導くことができ、照明による演出性を高めることができる。
【００２４】
このように、本実施形態によれば、電極部２と人体Ｍとの遠近変化だけで発振周波数ｆ１を変動させることができるので、簡単な構成により揺らぎ信号を生成でき、この揺らぎ信号に基いて光源９を点灯制御することができる。これにより、人体Ｍが電極部２付近を通過したり、身振り手振りをするなどの動作や、動物などの動きに応じて照明を変化させることができ、照明の演出性や遊戯性を高めることができる。また、電極部２と人体Ｍが向かい合うだけで浮遊容量Ｃｓが形成されるので、電極部２を周囲のほぼ全方向で浮遊容量Ｃｓを検知でき、従来の風速センサに比べて揺らぎ信号の検知範囲が広くなる。従って、人体Ｍが電極部２の周りのほぼどこにあっても浮遊容量Ｃｓが検知されるので、人体Ｍの動ける範囲の制約が少なく、人体Ｍが自由に動けて演出性も高まる。
【００２５】
また、電極部２は、導線パターンなどで簡単に構成できるので、揺らぎ信号の検知場所を自由に設定することができる。即ち、電極部２は、浮遊容量を形成するためのものであり、長さや、形状に制約がないので、任意の場所に取り付けることができ、また、導線パターン等により任意の形に設計することができるので、デザイン上の制約は少ない。
【００２６】
次に、本発明の第２の実施形態に係る照明装置について、図４及び図５を参照して説明する。図４は、照明装置１を魚１００（生体）が泳ぐ水槽３０の中に設置した場合の使用状態を示し、図５は、照明装置１の電気ブロック構成を示す。照明装置１は、樹脂等の非導電性の材質からなる筐体２０と、筐体２０内に設けられた回路基板１１を備え、筐体２０上面の外部側に電極部２を立設すると共に、複数のＬＥＤからなる光源９が配設されている。また、回路基板１１には、水槽３０の外から筐体２０を貫通して防水を施した電源ケーブル１４により外部電源１３のＡＣまたはＤＣ電源が供給される。
【００２７】
筐体２０は、防水性のケース構造を成し、水槽３０内に配設しても筐体内に水が侵入しなようになっている。また、電極部２は、金属の棒体２１の上部に槍形の金属板２２を取り付けたアンテナ形状を成し、水槽３０内では、この金属板２２と水槽３０内の魚１００との間で浮遊容量が形成される。また、棒体２１は、防水性を保つように筐体２０内に挿入され、回路基板１１の入力側に接続される。
【００２８】
回路基板１１には、周波数発振変換部１０、波形形成部６、制御部７、照明制御部８、及び各部に電源を供給する電源部１２等の各回路が実装され、これらの各部の回路は、前記実施形態と同様の動作を行う。また、回路基板１１の入力側の周波数可変発振回路３には、電極部２の棒体２１下部側の端部が接続され、等価的に電極部２と魚１００との間で形成される浮遊容量Ｃｓが周波数可変発振回路３に接続される。
【００２９】
光源９は、Ｒ、Ｇ、Ｂなどの発光色の異なるＬＥＤからなり、これにより、制御部７は、各ＬＥＤを個別に点灯制御して、光量を調整する調光と、明かりの色調整を行う調色とを含む照明制御を行うことができる。
【００３０】
上記のように構成された照明装置１の照明制御について説明する。水槽３０内で魚１００が泳いで、電極部２に近付いたり、遠ざかったりすると電極部２と魚１００との間で形成される浮遊容量Ｃｓが変化するので、周波数可変発振回路３の発振周波数ｆ１が変化して、魚１００の泳きに伴う揺らぎ信号が発生される。この揺らぎ信号は、前記実施形態と同様に波形形成部６で波形形成され、この波形形成された揺らぎ信号を基に制御部７で光量や光色を変化させる点灯制御信号を生成して、光源９を点灯制御する。これにより、魚１００の遊泳する移動変化の揺らぎを基に揺らぎ信号を発生することができ、この揺らぎ信号により照明制御することができる。
【００３１】
このように、本実施形態によれば、魚１００の遊泳変化に基く揺らぎにより、周波数が変化する揺らぎ信号が発生して、複数のＬＥＤの光源９を点灯制御することができる。これにより、魚１００が電極部２の近くを通るたび、光源９の色や光量が揺らぐことになり、魚１００の予期できない不規則な遊泳変化により、照明による演出性を高めることができる。また、照明装置１は、使用する電気部品を筐体２０内に殆ど全て収納することができるため、防水加工を行い易い。また、電極部２は、金属製以外の筐体２０であれば、筐体２０で覆い隠しても浮遊容量Ｃｓの変動に与える影響が少ないため、従来の風速センサ等に比べてデザイン上の制約が減る。
【００３２】
次に、本発明の上記第２の実施形態の変形例について、図６を参照して説明する。本変形例は、前記第２の実施形態において、アンテナ形状の電極部２を筐体２０の上面に平面状に配設したものである。
【００３３】
本変形例における電極部２は、非導電性の筐体２０の上面に形成されたスパイラル状の導体パターン２３により構成される。この導体パターン２３の一端は、導線２４を介して回路基板１１に接続され、回路基板１１上の周波数可変発振回路３に接続されている。また、この導体パターン２３は、筐体２０が非導電性なので、筐体２０上面の外部または内部のいずれにも配設することができる。
【００３４】
水槽３０内に設置された照明装置１において、筐体２０の上面に魚が接近すると、導体パターン２３と魚との間の浮遊容量が発生する。これにより、魚の移動により前記第２の実施形態と同様に、揺らぎ信号を形成することができ、揺らぎ信号による照明制御を行うことができる。
【００３５】
このように、本変形例によれば、電極部２を筐体２０上面の導体パターン２３により平面的に簡単に形成することができるので、構造がさらに簡単になり、低廉化、及び小型化することができる。なお、本変形例では、電極部２の導体パターン２３をスパイラル状に形成したが、櫛形、短冊形状など他の形状でもよい。
【００３６】
また、本変形例では、電極部２の導体パターン２３を筐体２０の上面に形成したが、複数の導体パターン２３を水槽３０のケースにおける向かい合う側面にそれぞれ複数対に形成して、向かい合う導体パターン２３間でコンデンサを構成し、それらの導体パターン２３間を魚が通ることにより浮遊容量を変化させて、照明制御することもできる。
【００３７】
次に、本発明の第３の実施形態に係る照明装置について、図７を参照して説明する。本実施形態の照明装置１は、前記実施形態において、制御部７と光源９は、揺らぎ信号を伝送する通信回線６０により接続されるものである。
【００３８】
照明装置１は、制御部７を含み制御用の揺らぎ信号を送信する制御送信部４０と、光源９を含む照明部５０とにより構成され、制御送信部４０と照明部５０は、無線または有線の通信回線６０で接続されている。制御送信部４０は、前記実施形態と同様の電極部２と、周波数発振変換部１０と、波形形成部６と、制御部７とに加え、制御部７からの揺らぎ信号の基づく点灯制御信号を照明部５０に送る通信部４１を備えている。照明部５０は、前記実施形態と同様の照明制御部８と光源９に加え、通信部４１からの通信回線６０を介して送られる揺らぎ信号の点灯制御信号を受信する通信部５１を備える。
【００３９】
通信部４１は、制御部７からの点灯制御信号を通信回線６０を介して伝送するために、点灯制御信号を変調して送信する。この点灯制御信号の変調は、例えば、点灯制御信号を変調波として搬送波信号の振幅を変えるＡＭ変調や、点灯制御信号の揺らぎ波形に基いてパルス幅、パルス位相等を変えるパルス変調等により行うことができる。この点灯制御信号のＡＭ変調信号、またはパルス変調信号は照明部５０に送信され、通信部５１は、受信したＡＭ変調信号、またはパルス変調信号から点灯制御信号を復調し、この復調した点灯制御信号を照明制御部８に送出し、この点灯制御信号を基に照明制御部８が光源９を点灯制御する。
【００４０】
このように、本実施形態によれば、制御部７と光源９は、揺らぎ信号に基く点灯制御信号を伝送する通信回線６０により接続されるので、照明装置１を制御部７を含む制御送信部４０と光源９を含む照明部５０とによる分離構成とすることができる。従って、制御部７により、遠隔に設置された光源９に対しても通信回線６０を介して揺らぎ信号に基いて点灯制御することができる。また、複数の光源９を設けて各光源９と制御送信部４０とを通信回線６０で接続することにより、各光源９の点灯状態を同調させて点灯させることができる。従って、室内の異なる場所で同時に同様な揺らぎ照明を行うことが可能となり、照明の演出効果が増大する。また、装置を２つに分離することにより、光源９の配置の自由度が高くなり、デザインの幅が広がる。
【００４１】
なお、本発明は上記各種の実施形態の構成に限定されるものではなく、発明の趣旨を変更しない範囲で適宜に種々の変形が可能である。上述した各種実施形態では、照明装置に電極板を１つだけ設けた例を示したが、複数の電極板を異なる位置に配設し、これらの電極板で発生する浮遊容量を合成した浮遊容量に基く揺らぎ信号に基いて点灯制御することにより、より変化に富んだ演出照明を行うことができる。また、波形形成部に１／ｆの揺らぎを生成するための周波数特性が１／ｆのフィルタを備えることにより、快適な明るさの照明空間の形成に対応することもできる。
【図面の簡単な説明】
【００４２】
【図１】本発明の第１の実施形態に係る照明装置の構成図。
【図２】同装置における周波数可変発振回路の配線図。
【図３】（ａ）は同装置における電極部と人体間の距離と浮遊容量の関係を示す図、（ｂ）は同装置における浮遊容量と周波数可変発振回路の発振周波数の関係を示す図。
【図４】本発明の第２の実施形態に係る照明装置の使用状態における斜視図。
【図５】同装置の構成図。
【図６】上記第２の実施形態の変形例に係る照明装置の斜視図。
【図７】本発明の第３の実施形態に係る照明装置の構成図。
【符号の説明】
【００４３】
１  照明装置
２  電極部
３  周波数可変発振回路
７  制御部
９  光源
６０  通信回線
Ｃｓ  浮遊容量
Ｍ  人体（生体）
【図１】
2009205839.tif 000003
【図２】
2009205839.tif 000004
【図３】
2009205839.tif 000005
【図４】
2009205839.tif 000006
【図５】
2009205839.tif 000007
【図６】
2009205839.tif 000008
【図７】
2009205839.tif 000009